(57)【要約】      （修正有）【課題】水吐出部と石鹸吐出部とを備えた自動吐出装置において、片方を使用中に他方の近接センサの誤感知による吐出を防止しつつ、同時吐出を可能とする且つ、近接センサの感知から吐出までの時間を短縮することで、使い勝手を向上可能な自動吐出装置を提供する。【解決手段】自動吐出装置１は、水栓用近接センサ３と、水吐出部２と、水開閉弁４と、石鹸用近接センサ６と、石鹸吐出部５と、ポンプ７と、水開閉弁４およびポンプ７の動作を制御する制御部８と、を備え、制御部８は、水栓用近接センサ３または石鹸用近接センサ６の何れか一方のセンサが感知中の場合において、他方のセンサからの感知信号が第一所定時間よりも長い第二所定時間継続して受信すると対応する水開閉弁４またはポンプ７の動作を開始する。【選択図】図１
2020151159.tif 000002
【特許請求の範囲】
【請求項１】
手を感知し、自動で吐出及び停止する自動吐出装置であって、
水栓用近接センサの感知結果に基づいて水を吐出する水吐出部と、
給水源からの水を前記水吐出部に供給するために水流路の開閉を行う水開閉弁と、
石鹸用近接センサの感知結果に基づいて石鹸を吐出する石鹸吐出部と、前記石鹸を前記石鹸吐出部に供給するために石鹸流路の開閉を行うポンプと、前記水栓用近接センサおよび前記石鹸用近接センサの感知結果に基づいて前記水開閉弁および前記ポンプの動作を制御する制御部と、を備え、
前記制御部は、前記水栓用近接センサおよび前記石鹸用近接センサの両方が非感知状態の場合において、前記水栓用近接センサまたは前記石鹸用近接センサからの感知信号を第一所定時間継続して受信すると前記水開閉弁及び前記ポンプの動作を開始し、
前記水栓用近接センサまたは前記石鹸用近接センサの何れか一方のセンサが感知中の場合において、他方のセンサからの感知信号が前記第一所定時間よりも長い第二所定時間継続して受信すると対応する前記水開閉弁または前記ポンプの動作を開始するよう構成する
ことを特徴とする自動吐出装置。
【請求項２】
前記制御部は、前記水栓用近接センサ及び前記石鹸用近接センサの両方が感知状態の場合において、前記水栓用近接センサまたは前記石鹸用近接センサの何れか一方が感知状態から非感知状態に変化した後、再度感知信号を第三所定時間以内に受信すると前記感知信号を前記第二所定時間以下の第四所定時間継続して受信すると対応する水開閉弁または前記ポンプの動作を開始するよう構成することを特徴とする自動吐出装置。
【請求項３】
前記第四所定時間は、前記第一所定時間以上であることを特徴とする自動吐出装置。
【発明の詳細な説明】
【技術分野】
【０００１】
本発明は、トイレや洗面設備などに設置されている自動吐出装置付きの自動手洗い器に係り、特に手を感知し自動で水を吐出及び停止する水吐出部と、同じく手を感知し自動で石鹸を吐出及び停止する石鹸吐出部とを備えた自動吐出装置に関する発明である。 
【背景技術】
【０００２】
近年、トイレや洗面設備などに設置される手洗い器に関しては、手を差し出すと自動的に水が吐出される水吐出部と、同じく手を差し出すと石鹸を吐出する石鹸吐出部を備えた自動吐出装置を搭載した自動手洗い器が増加している。このような自動手洗い器においては、限られた狭いスペースに水吐出部と石鹸吐出部が併設された場合、互いの近接センサの感知範囲が近いため、片方を使用中に他方の近接センサが誤感知して吐出をしてしまう問題があった。
【０００３】
この問題を改善するために、特許文献１では片方が吐出中は他方の近接センサの感知を禁止することや、感知結果を確定させるまでに一定のディレイ時間を設けたりすることで誤感知による吐出を防止している。
【先行技術文献】
【特許文献】
【０００４】
【特許文献１】特開２００２−３４５６７５号公報
【発明の概要】
【発明が解決しようとする課題】
【０００５】
しかしながら、上記手法では、水と石鹸の同時吐出が不可能であったり、水と石鹸の吐出を切替えるのに時間がかかり、使い勝手が低下してしまう。
【０００６】
本発明は、上記問題を解決するためになされたもので、本発明の課題は、水吐出部と石鹸吐出部とを備えた自動吐出装置において、片方を使用中に他方の近接センサの誤感知による吐出を防止しつつ、同時吐出を可能とする且つ、近接センサの感知から吐出までの時間を短縮することで、使い勝手を向上することである。
【課題を解決するための手段】
【０００７】
上記目的を達成するために請求項１記載の発明によれば、手を感知し、自動で吐出及び停止する自動吐出装置であって、水栓用近接センサの感知結果に基づいて水を吐出する水吐出部と、給水源からの水を前記水吐出部に供給するために水流路の開閉を行う水開閉弁と、石鹸用近接センサの感知結果に基づいて石鹸を吐出する石鹸吐出部と、前記石鹸を前記石鹸吐出部に供給するために石鹸流路の開閉を行うポンプと、前記水栓用近接センサおよび前記石鹸用近接センサの感知結果に基づいて前記水開閉弁および前記ポンプの動作を制御する制御部と、を備え、前記制御部は、前記水栓用近接センサおよび前記石鹸用近接センサの両方が非感知状態の場合において、前記水栓用近接センサまたは前記石鹸用近接センサからの感知信号を第一所定時間継続して受信すると前記水開閉弁及び前記ポンプの動作を開始し、前記水栓用近接センサまたは前記石鹸用近接センサの何れか一方のセンサが感知中の場合において、他方のセンサからの感知信号が前記第一所定時間よりも長い第二所定時間継続して受信すると対応する前記水開閉弁または前記ポンプの動作を開始するよう構成することを特徴とする自動吐出装置。
【０００８】
この自動吐出装置によれば、水吐出部と石鹸吐出部のそれぞれから水及び石鹸の両方が吐出されていない場合は、第一所定時間継続して感知信号を受信すると水開閉弁やポンプを動作させるため、短い時間で吐出させることが出来る。つまり、使用者がセンサの前方に手をかざしてから吐出されるまでを速くし使い勝手を向上できる。さらに、水吐出部または石鹸吐出部のどちらか一方から水または石鹸が吐出されている場合は、他方のセンサからの受信信号を第一所定時間よりも長い第二所定時間継続して受信することで吐出させることができるため、不意に他方のセンサの感知領域に入った場合であっても誤って感知することを抑制できるとともに、使用者が意思を持って他方から吐出させたい場合は、吐出させることも可能であり、使い勝手を向上させることができる。
【０００９】
また、請求項２記載の発明によれば、制御部は、水栓用近接センサ及び石鹸用近接センサの両方が感知状態の場合において、水栓用近接センサまたは石鹸用近接センサの何れか一方が感知状態から非感知状態に変化した後、再度感知信号を第三所定時間以内に感知信号を前記第二所定時間以下の第四所定時間継続して受信すると対応する水開閉弁または前記ポンプの動作を開始するよう構成することを特徴とする自動吐出装置。
【００１０】
この自動吐出装置によれば、水吐出部と石鹸吐出部のそれぞれから水及び石鹸の両方が吐出されている場合において、どちらか一方の吐出を停止し直後に再吐出させたい場合は、第三所定時間以内に第二所定時間以下の第四所定時間継続して受信することで吐出させるため、短い時間で再吐出させることができる。つまり、使用者が前方から手を遠ざけた後に再度手をかざしてから吐出されるまでを速くし使い勝手を向上できる。
【００１１】
また、請求項２記載の発明によれば、第四所定時間は、第一所定時間以上であることを特徴とする自動吐出装置。
【００１２】
この自動吐出装置によれば、第四所定時間を第一所定時間以上とするため、外乱が入った場合であっても誤って感知することを抑制できる。
【発明の効果】
【００１３】
本発明によれば、水吐出部と石鹸吐出部とを備えた自動吐出装置において、片方を使用中に他方の近接センサの誤感知による吐出を防止しつつ、同時吐出を可能とする且つ、近接センサの感知から吐出までの時間を短縮することで、使い勝手を向上することができる。
【図面の簡単な説明】
【００１４】
【図１】本発明の自動吐出装置を示す構成図である。
【図２】本発明の自動吐出装置の動作を示すフローチャートである。
【図３】本発明の自動吐出装置の動作を示すフローチャートである。
【図４】本発明の自動吐出装置の動作を示すフローチャートである。
【図５】本発明の自動吐出装置の動作を示すタイムチャートである。
【図６】本発明の自動吐出装置の動作を示すフローチャートである。
【図７】本発明の自動吐出装置の動作を示すタイムチャートである。
【図８】本発明の自動吐出装置の動作を示すフローチャートである。
【図９】本発明の自動吐出装置の動作を示すフローチャートである。
【図１０】本発明の自動吐出装置の動作を示すタイムチャートである。
【発明を実施するための形態】
【００１５】
以下、本発明の実施形態について図面を参照しつつ説明する。なお、各図面中、同様の構成要素には同一の符号を付して詳細な説明は適宜省略する。
【実施例】
【００１６】
図１は、実施形態に係る自動吐出装置の構成図である。図１に示した自動吐出装置１は、手の接近を感知する水栓用近接センサ３と、水の吐出、停止を行う水開閉弁４とを備えた水吐出部２と、手の接近を感知する石鹸用近接センサ６と、石鹸の吐出、停止を行うポンプ７とを備えた石鹸吐出部５と、水栓用近接センサ３の感知結果に基づいて水開閉弁４へ作動信号を送信し、石鹸用近接センサ６の感知結果に基づいてポンプ７へ作動信号を送信する制御部８と、制御部８と水栓用近接センサ３、石鹸用近接センサ６、水開閉弁４、ポンプ７との間で電気信号を送受信するための導電線９、１０、１１、１２が装備されている。
【００１７】
図２〜１０を参照しつつ、自動吐出装置１の動作について説明する。
図２は、水吐出部２と石鹸吐出部５が両方吐出されていない場合の動作を示すフローチャートである。
図３は、水吐出部２が吐出される場合の動作を示すフローチャートである。
図４は、石鹸吐出部５が吐出される場合の動作を示すフローチャートである。
図５は、自動吐出装置１の水吐出部２と石鹸吐出部５の何れかが吐出される場合の動作を示すタイムチャートである。
図６は、水吐出部２と石鹸吐出部５が両方吐出される場合の動作を示すフローチャートである。
図７は、水吐出部２と石鹸吐出部５が両方吐出される場合の動作を示すタイムチャートである。
図８は、水吐出部２と石鹸吐出部５が両方吐出されている状態で水吐出部２の吐出を停止し、直後に再吐出する場合の動作を示すフローチャートである。
図９は、水吐出部２と石鹸吐出部５とが両方吐出されている状態で石鹸吐出部５の吐出を停止し、直後に再吐出する場合の動作を示すフローチャートである。
図１０は、水吐出部２と石鹸吐出部５とが両方吐出されている状態で何れかの吐出を停止し、直後に再度吐出する場合の動作を示すタイムチャートである。
【００１８】
図２を用いて、水吐出部２と石鹸吐出部５が両方吐出されていない場合について説明する。ステップS１８〜S１９については、水吐出部２が吐出されている場合のステップであり、ステップS２０〜S２１については、石鹸吐出部５が吐出されている場合のステップであるため後述する。水栓用近接センサ３に手を近づけると、制御部８は、水栓用近接センサ３が感知且つ石鹸用近接センサ６が非感知と判断した場合は（ステップS２２）、水吐出部２の感知ディレイ時間を計測するタイマ（水吐出部２感知ディレイタイマ）に第一所定時間（感知ディレイ短時間）ｔ１３を設定し計測を開始する（ステップS２４）。その後、制御部８は、ステップS２６の動作を実行する。なお、ステップS２６の動作については後述する。次にステップS２２に戻り、水栓用近接センサ３が感知且つ石鹸用近接センサ６が非感知でない判断した場合は（ステップS２２）、ステップS２３を実行する。ステップS２３では、石鹸用近接センサ６に手を近づけると、制御部８は、水栓用近接センサ３が非感知且つ石鹸用近接センサ６が感知と判断した場合は（ステップS２３）、石鹸吐出部５の感知ディレイ時間を計測するタイマ（石鹸吐出部５感知ディレイタイマ）に第一所定時間（感知ディレイ短時間）ｔ１３を設定し計測を開始する（ステップS２５）。その後、制御部８は、ステップS２７の動作を実行する。なお、ステップS２７の動作については後述する。
【００１９】
次に、図３を用いて、水吐出部２が吐出される場合について説明する。水栓用近接センサ３に手を近づけた状態で、制御部８は、水吐出部２感知ディレイタイマの計測が終了したと判断した場合は（ステップS１８）、水吐出部２の吐出を行う（ステップS２８）。その後、制御部８は、ステップS２０〜S２１の動作を実行する。なお、ステップS２０〜S２１の動作については後述する。次に、水栓用近接センサ３から手を遠ざけると、水栓用近接センサ３が非感知且つ石鹸用近接センサ６が非感知と判断した場合は（ステップS２９）、水吐出部２感知ディレイタイマに第一所定時間（感知ディレイ短時間）ｔ１３を設定し計測を開始する（ステップS２４）。その後、制御部８は、ステップS３２の動作を実行する。ステップS３２では、制御部８は、図２の水吐出部２感知ディレイタイマの計測が終了したと判断した場合は（ステップS１８）、水吐出部２の吐出を停止する（ステップS１９）。次に、図３のステップS２９に戻り、水栓用近接センサ３が非感知且つ石鹸用近接センサ６が非感知でないと判断した場合は（ステップS２９）、ステップS３０を実行する。ステップS３０では、石鹸用近接センサ６に手を近づけると、制御部８は、水栓用近接センサ３が感知且つ石鹸用近接センサ６が感知と判断した場合は（ステップS３０）、石鹸吐出部５感知ディレイタイマに第二所定時間（感知ディレイ長時間）ｔ１４を設定し計測を開始する（ステップS３１）。その後、制御部８は、ステップS３３に動作を実行する。なお、ステップS３３の動作については後述する。
【００２０】
次に、図４用いて、石鹸吐出部５が吐出される場合について説明する。ステップS１８〜１９については、前述したため省略する。石鹸用近接センサ６に手を近づけた状態で、制御部８は、石鹸吐出部５感知ディレイタイマの計測が終了したと判断した場合は（ステップS２０）、石鹸吐出部５の吐出を行う（ステップS３４）。次に、石鹸用近接センサ６から手を遠ざけると、制御部８は、水栓用近接センサ３が非感知且つ石鹸用近接センサ６が非感知であると判断した場合は（ステップS２９）、石鹸吐出部５感知ディレイタイマに第一所定時間（感知ディレイ短時間）ｔ１３を設定し計測を開始する（ステップS２５）。その後、制御部８は、ステップS３２を実行する。ステップS３２では、図２の石鹸吐出部５感知ディレイタイマの計測が終了したと判断した場合は（ステップS２０）、石鹸吐出部５の吐出を停止する（ステップS１９）。次に、図４のステップS２９に戻り、水栓用近接センサ３が非感知且つ石鹸用近接センサ６が非感知でないと判断した場合は（ステップS２９）、ステップS３０を実行する。ステップS３０では、水栓用近接センサ２に手を近づけると、制御部８は、水栓用近接センサ３が感知且つ石鹸用近接センサ６が感知であると判断した場合は（ステップS３０）、水吐出部２感知ディレイタイマに第二所定時間（感知ディレイ長時間）ｔ１４を設定し計測を開始する（ステップS３５）。その後、制御部８は、ステップS３３に動作を実行する。なお、ステップS３３の動作については後述する。
【００２１】
次に、図５を用いて、自動吐出装置１の水吐出部２と石鹸吐出部５の何れかが吐出される場合について説明する。水開閉弁４とポンプ７が両方吐出されていない場合、水栓用近接センサ３に手を近づけると、水栓用近接センサ３が感知結果を導電線９を介して制御部８へ送信し、第一所定時間（感知ディレイ短時間）ｔ１３経過後に、制御部８が作動信号を導電線１１を介して水開閉弁４へ送信し、水を吐出する。水栓用近接センサ３から手を遠ざけると、水栓用近接センサ３が感知結果を導電線９を介して制御部８へ送信し、非感知継続が第一所定時間（感知ディレイ短時間）ｔ１３経過後に、制御部８が作動信号を導電線１１を介して水開閉弁４へ送信し、水の吐出を停止する。また、石鹸用近接センサ６に手を近づけると、石鹸用近接センサ６が感知結果を導電線１０を介して制御部８へ送信し、感知継続が第一所定時間（感知ディレイ短時間）ｔ１３経過後に、制御部８が作動信号を導電線１２を介してポンプ７へ送信し、石鹸を吐出する。石鹸用近接センサ６から手を遠ざけると、石鹸用近接センサ６が感知結果を導電線１０を介して制御部８へ送信し、非感知継続が第一所定時間（感知ディレイ短時間）ｔ１３経過後に、制御部８が作動信号を導電線１２を介してポンプ７へ送信し、石鹸の吐出を停止する。
【００２２】
本実施形態によれば、手を近づけてから吐出されるまでを速くし使い勝手を向上できる。また、水吐出部２と石鹸吐出部５で第一所定時間（感知ディレイ短時間）ｔ１３を同一にすることにより、両方とも同じ使い心地となるため、より自然な手洗いが可能となる。
【００２３】
次に、図６を用いて、水吐出部２と石鹸吐出部５が両方吐出される場合について説明する。ステップS１８、ステップS２８、ステップS２０、ステップS３４については、前述したため省略する。水栓用近接センサ３から手を遠ざけると、制御部８は、水栓用近接センサ３が非感知且つ石鹸用近接センサ６が感知と判断した場合は（ステップS２３）、水吐出部２を再吐出させるまでの時間を継続するタイマ（水吐出部２再吐出タイマ）に第三所定時間ｔ１５を設定し計測を開始し（ステップS３６）、水吐出部２感知ディレイタイマに第一所定時間（感知ディレイ短時間）ｔ１３を設定し計測を開始する（ステップS２４）。その後、制御部８は、ステップS３８を実行する。なお、ステップS３８の動作については後述する。次に、ステップS２３に戻り、水栓用近接センサ３が非感知且つ石鹸用近接センサ６が感知でないと判断した場合は（ステップS２３）、ステップS２２を実行する。ステップS２２では、石鹸用近接センサ６から手を遠ざけると、制御部８は、水栓用近接センサ３が感知且つ石鹸用近接センサ６が非感知と判断した場合は（ステップS２２）、石鹸吐出部５を再吐出させるまでの時間を継続するタイマ（石鹸吐出部５再吐出タイマ）に第三所定時間ｔ１５を設定し計測を開始し（ステップS３７）、石鹸吐出部５感知ディレイタイマに第一所定時間（感知ディレイ短時間）ｔ１３を設定し計測を開始する（ステップS２５）。その後、制御部８は、ステップS３９を実行する。なお、ステップS３９の動作については後述する。
【００２４】
次に、図７を用いて、水吐出部２と石鹸吐出部５とが同時に吐出される場合について説明する。水開閉弁４が吐出されている場合、石鹸用近接センサ６に手を近づけると、石鹸用近接センサ６が感知結果を導電線１０を介して制御部８へ送信し、感知継続が第二所定時間（感知ディレイ長時間）ｔ１４経過後に、制御部８が作動信号を導電線１２を介してポンプ７へ送信し、石鹸を吐出する。また、ポンプ７が吐出されている場合、水栓用近接センサ３に手を近づけると、水栓用近接センサ３が感知結果を導電線９を介して制御部８へ送信し、感知継続が第二所定時間（感知ディレイ長時間）ｔ１４経過後に、制御部８が作動信号を導電線１１を介して水開閉弁４へ送信し、水を吐出する。
【００２５】
本実施形態によれば、第二所定時間（感知ディレイ長時間）ｔ１４を設けることで、一方が吐出されているときに、意図せず他方の近接センサに瞬間的に手を近づけてしまった場合は、誤感知による吐出を防止でき、意図して他方の近接センサに手を近づけた場合は、水開閉弁４とポンプ７の同時吐出が可能となる。
【００２６】
次に、図８を用いて、水吐出部２と石鹸吐出部５とが両方吐出されている状態で水吐出部２の吐出を停止し、直後に再吐出する場合について説明する。ステップS１８、ステップS１９、ステップS２０、ステップS３４、ステップS２９、ステップS２５、ステップS３２については前述したため省略する。水吐出部２と石鹸吐出部５とが両方吐出されている状態で水吐出部２の吐出を停止し、直後に水栓用近接センサ３に手を近づけると、制御部８は、水栓用近接センサ３が感知且つ石鹸用近接センサ６が感知と判断した場合は（ステップS３０）、ステップS３９を実行する。ステップS３９では、制御部８は、水吐出部２再吐出タイマが計測中と判断した場合は（ステップS３９）、水吐出部２感知ディレイタイマに第四所定時間（感知ディレイ中時間）ｔ１６を設定し計測を開始する（ステップS４０）。その後、制御部８は、ステップS３３を実行する。  なお、ステップS３３については前述したため省略する。次に、ステップS３９に戻り、制御部８は、水吐出部２再吐出タイマが計測中でないと判断した場合は（ステップS３９）、水吐出部２感知ディレイタイマに第二所定時間（感知ディレイ長時間）ｔ１４を設定し計測を開始する（ステップS４０）。その後、制御部８は、ステップS３３を実行する。なお、ステップS３３については前述したため省略する。
【００２７】
次に、図９を用いて、水吐出部２と石鹸吐出部５とが両方吐出されている状態で石鹸吐出部５の吐出を停止し、直後に再吐出する場合について説明する。ステップS１８、ステップS２８、ステップS２０、ステップS２１、ステップS２９、ステップS２４、ステップS３２については前述したため省略する。水吐出部２と石鹸吐出部５とが両方吐出されている状態で石鹸吐出部５の吐出を停止し、直後に石鹸用近接センサ６に手を近づけると、制御部８は、水栓用近接センサ３が感知且つ石鹸用近接センサ６が感知と判断した場合は（ステップS３０）、ステップS４１を実行する。ステップS４１では、制御部８は、石鹸吐出部５再吐出タイマが計測中と判断した場合は（ステップS４１）、石鹸吐出部５感知ディレイタイマに第四所定時間（感知ディレイ中時間）ｔ１６を設定し計測を開始する（ステップS４２）。その後、制御部８は、ステップS３３を実行する。なお、ステップS３３については前述したため省略する。次に、ステップS４１に戻り、制御部８は、石鹸吐出部５再吐出タイマが計測中でないと判断した場合は（ステップS４１）、石鹸吐出部５感知ディレイタイマに第二所定時間（感知ディレイ長時間）ｔ１４を設定し計測を開始する（ステップS３１）。その後、制御部８は、ステップS３３を実行する。なお、ステップS３３については前述したため省略する。
【００２８】
図１０を用いて、水吐出部２と石鹸吐出部５とが両方吐出されている状態で何れかの吐出を停止し、直後に再度吐出する場合について説明する。水開閉弁４とポンプ７が両方吐出されている場合、水栓用近接センサ３から手を遠ざけると、水栓用近接センサ３が感知結果を導電線９を介して制御部８へ送信し、非感知継続が第一所定時間（感知ディレイ短時間）ｔ１３経過後に、制御部８が作動信号を導電線１１を介して水開閉弁４へ送信し、水の吐出を停止し、水栓用近接センサ３から手を遠ざけてから第三所定時間ｔ１５以内に、再度水栓用近接センサ３に手を近づけると、水栓用近接センサ３が感知結果を導電線９を介して制御部８へ送信し、感知継続が第二所定時間（感知ディレイ長時間）ｔ１４よりも短い第四所定時間（感知ディレイ中時間）ｔ１６経過後に、制御部８が作動信号を導電線１１を介して水開閉弁４へ送信し、水を吐出する。また、水開閉弁４とポンプ７が両方吐出されている場合、石鹸用近接センサ６から手を遠ざけると、石鹸用近接センサ６が感知結果を導電線１０を介して制御部８へ送信し、非感知継続が第一所定時間（感知ディレイ短時間）ｔ１３経過後に、制御部８が作動信号を導電線１２を介してポンプ７へ送信し、石鹸の吐出を停止し、石鹸用近接センサ６から手を遠ざけてから第三所定時間ｔ１５以内に、再度石鹸用近接センサ６に手を近づけると、石鹸用近接センサ６が感知結果を導電線１０を介して制御部８へ送信し、感知継続が第二所定時間（感知ディレイ長時間）ｔ１４よりも短い第四所定時間（感知ディレイ中時間）ｔ１６経過後に、制御部８が作動信号を導電線１２を介してポンプ７へ送信し、石鹸を吐出する。
【００２９】
本実施形態によれば、水吐出部２と石鹸吐出部５とが同時に吐出されている状態で何れかの吐出を停止し、直後に再吐出する場合、第三所定時間ｔ１５は第二所定時間（感知ディレイ長時間）ｔ１４よりも短い第四所定時間（感知ディレイ中時間）ｔ１６経過後に吐出させることで、再感知時に早期に吐出を開始でき使い勝手を向上できる。
【００３０】
なお、第四所定時間（感知ディレイ中時間）ｔ１６は、第一所定時間（感知ディレイ短時間）ｔ１３以上とする。第四所定時間（感知ディレイ中時間）ｔ１６が第一所定時間（感知ディレイ短時間）ｔ１３未満だった場合、誤感知による吐出の可能性があるためである。
【符号の説明】
【００３１】
１…自動吐出装置
２…水吐出部
３…水栓用近接センサ
４…水開閉弁
５…石鹸吐出部
６…石鹸用近接センサ
７…ポンプ
８…制御部
９、１０、１１、１２…導電線
【図１】
2020151159.tif 000003
【図２】
2020151159.tif 000004
【図３】
2020151159.tif 000005
【図４】
2020151159.tif 000006
【図５】
2020151159.tif 000007
【図６】
2020151159.tif 000008
【図７】
2020151159.tif 000009
【図８】
2020151159.tif 000010
【図９】
2020151159.tif 000011
【図１０】
2020151159.tif 000012